(57)【要約】【課題】タッチパネルに対する接触操作に用いられるタッチペンを介して簡便に各種操作を実行可能とする表示装置を提供する。【解決手段】タッチペン１４に係る軸心Ｃ回りの回転を検出する軸回転検出部３８と、平面部１２ｐに対するタッチペン１４の傾きを検出する傾き検出部４２と、タッチパネル２４への入力にタッチペン１４を用いる入力モードであるか否かを判定する入力モード判定部３０と、その入力モード判定部３０の判定が肯定される場合に、軸回転検出部３８による検出結果及び傾き検出部４２による検出結果の少なくとも一方に基づいて、ディスプレイ２２における画像の表示制御又はタッチパネル２４における接触操作に係る入力条件の変更を実行する操作制御部３２とを、備えたものであることから、ディスプレイ２２における画像の表示制御又は前記タッチパネル２４における接触操作に係る入力条件の変更を簡便に実行することができる。【選択図】図２
2011159091.tif 000002
【特許請求の範囲】
【請求項１】
平面部に対する接触操作に応じて入力を受け付けるタッチパネルと、該タッチパネルに対する接触操作に用いられる軸状のタッチペンと、画像を表示させるディスプレイとを、備えた表示装置であって、
前記タッチペンに係る軸心回りの回転を検出する回転検出部と、
前記平面部に対する前記タッチペンの傾きを検出する傾き検出部と、
前記タッチパネルへの入力に前記タッチペンを用いる入力モードであるか否かを判定する入力モード判定部と、
該入力モード判定部の判定が肯定される場合に、前記回転検出部による検出結果及び前記傾き検出部による検出結果の少なくとも一方に基づいて、前記ディスプレイにおける画像の表示制御又は前記タッチパネルにおける接触操作に係る入力条件の変更を実行する操作制御部と
を、備えたものであることを特徴とする表示装置。
【請求項２】
前記操作制御部は、前記回転検出部による検出結果に基づいて、前記ディスプレイにおける画像の表示制御として該画像の変形又は切替を実行するか、又は前記タッチパネルにおける接触操作に係る入力条件として該接触操作に応じて入力される線又は文字の形態を変更するものである請求項１に記載の表示装置。
【請求項３】
前記操作制御部は、前記回転検出部による検出結果に基づく前記入力条件の変更としての線又は文字の形態を変更を、前記傾き検出部による検出結果に基づいて決定するものである請求項２に記載の表示装置。
【請求項４】
前記操作制御部は、前記入力モード判定部の判定結果に基づいて、前記ディスプレイにおける画像の表示制御及び前記タッチパネルにおける接触操作に係る入力条件の変更の何れか一方を選択的に実行するものである請求項１から３の何れか１項に記載の表示装置。
【請求項５】
前記操作制御部は、前記入力モード判定部の判定が否定される場合には、前記回転検出部による検出結果に基づいて、前記ディスプレイにおける画像の表示制御を実行するものである請求項４に記載の表示装置。
【発明の詳細な説明】
【技術分野】
【０００１】
本発明は、平面部に対する接触操作に応じて入力を受け付けるタッチパネルを備えた表示装置に関し、特に、そのタッチパネルに対する接触操作に用いられるタッチペンを介して簡便に各種操作を実行可能とする改良に関する。
【背景技術】
【０００２】
平面部に対する接触操作に応じて入力を受け付けるタッチパネルと、そのタッチパネルに対する接触操作に用いられる軸状のタッチペンと、画像を表示させるディスプレイとを、備えた表示装置が知られている。例えば、タッチパネルディスプレイを備えたデジタルフォトフレームやタブレットＰＣ等がそれである。斯かる表示装置において、前記タッチペンを介して簡便に各種操作を実行可能とする技術が提案されている。例えば、特許文献１に記載された電子機器がそれである。この技術によれば、タッチペン（入力ペン）を機器本体の収納部に収納した状態であっても、そのタッチペンを回転させることで入力装置として機能させることができるとされている。
【先行技術文献】
【特許文献】
【０００３】
【特許文献１】特開２００５−６３２００号公報
【発明の概要】
【発明が解決しようとする課題】
【０００４】
しかし、前述したような従来の技術では、前記タッチペンを機器本体に収納した状態でなければ前記機能を利用することができないという不具合があった。前記タッチペンは、前記表示装置の利用に際して利用者に取り回されることが多いものであるが、前記タッチペンが機器本体から取り外された状態においてそのタッチペンを介して簡便に各種操作を実行可能とする技術は、未だ開発されていないのが現状である。
【０００５】
本発明は、以上の事情を背景として為されたものであり、その目的とするところは、タッチパネルに対する接触操作に用いられるタッチペンを介して簡便に各種操作を実行可能とする表示装置を提供することにある。
【課題を解決するための手段】
【０００６】
斯かる目的を達成するために、本発明の要旨とするところは、平面部に対する接触操作に応じて入力を受け付けるタッチパネルと、そのタッチパネルに対する接触操作に用いられる軸状のタッチペンと、画像を表示させるディスプレイとを、備えた表示装置であって、前記タッチペンに係る軸心回りの回転を検出する回転検出部と、前記平面部に対する前記タッチペンの傾きを検出する傾き検出部と、前記タッチパネルへの入力に前記タッチペンを用いる入力モードであるか否かを判定する入力モード判定部と、その入力モード判定部の判定が肯定される場合に、前記回転検出部による検出結果及び前記傾き検出部による検出結果の少なくとも一方に基づいて、前記ディスプレイにおける画像の表示制御又は前記タッチパネルにおける接触操作に係る入力条件の変更を実行する操作制御部とを、備えたことを特徴とするものである。
【発明の効果】
【０００７】
このようにすれば、前記タッチペンに係る軸心回りの回転を検出する回転検出部と、前記平面部に対する前記タッチペンの傾きを検出する傾き検出部と、前記タッチパネルへの入力に前記タッチペンを用いる入力モードであるか否かを判定する入力モード判定部と、その入力モード判定部の判定が肯定される場合に、前記回転検出部による検出結果及び前記傾き検出部による検出結果の少なくとも一方に基づいて、前記ディスプレイにおける画像の表示制御又は前記タッチパネルにおける接触操作に係る入力条件の変更を実行する操作制御部とを、備えたものであることから、前記表示装置の利用に際して利用者に取り回されるタッチペンを介して、前記ディスプレイにおける画像の表示制御又は前記タッチパネルにおける接触操作に係る入力条件の変更を簡便に実行することができる。すなわち、タッチパネルに対する接触操作に用いられるタッチペンを介して簡便に各種操作を実行可能とする表示装置を提供することができる。
【０００８】
ここで、好適には、前記操作制御部は、前記回転検出部による検出結果に基づいて、前記ディスプレイにおける画像の表示制御としてその画像の変形又は切替を実行するか、又は前記タッチパネルにおける接触操作に係る入力条件としてその接触操作に応じて入力される線又は文字の形態を変更するものである。このようにすれば、前記表示装置の利用に際して利用者に取り回されるタッチペンを介して、前記ディスプレイにおける画像の表示制御又は前記タッチパネルにおける接触操作に係る入力条件の変更を実用的な態様で簡便に実行することができる。
【０００９】
また、好適には、前記操作制御部は、前記回転検出部による検出結果に基づく前記入力条件の変更としての線又は文字の形態を変更を、前記傾き検出部による検出結果に基づいて決定するものである。このようにすれば、前記タッチパネルの平面部に対するタッチペンの傾きに応じて、そのタッチペンにより描画される線の太さ、線種、及び線の色等の変更を選択的に実行することができる。
【００１０】
また、好適には、前記操作制御部は、前記入力モード判定部の判定結果に基づいて、前記ディスプレイにおける画像の表示制御及び前記タッチパネルにおける接触操作に係る入力条件の変更の何れか一方を選択的に実行するものである。このようにすれば、前記タッチパネルへの入力に前記タッチペンを用いる入力モードである場合とそれ以外の場合とで、前記タッチペンを介しての操作をそれぞれ異なるものとすることができる。
【００１１】
また、好適には、前記操作制御部は、前記入力モード判定部の判定が否定される場合には、前記回転検出部による検出結果に基づいて、前記ディスプレイにおける画像の表示制御を実行するものである。このようにすれば、前記タッチパネルへの入力に前記タッチペンを用いる入力モードではない場合において、そのタッチペンを介して前記ディスプレイにおける画像の表示制御を簡便に実行することができる。
【図面の簡単な説明】
【００１２】
【図１】本発明の一実施例である表示装置の外観を概略的に示す図である。
【図２】本発明の一実施例である表示装置の構成を説明するブロック線図である。
【図３】図２の表示装置に備えられたタッチペンの構成を説明するブロック線図である。
【図４】図３のタッチペンに備えられた軸回転検出部により検出されるその軸心回りの回転について説明する図である。
【図５】図３のタッチペンに備えられた支点回転検出部により検出されるその支点回りの回転について説明する図である。
【図６】図３のタッチペンに備えられた傾き検出部により検出されるタッチパネルディスプレイに対するタッチペンの軸心の傾きについて説明する図である。
【図７】図４に示す軸心回りの回転、図５に示す支点回りの回転、及び図６に示す傾きの検出を可能とするために、図３のタッチペンに備えられた構成の一例を説明する図であり、そのタッチペンを軸心方向に視た断面に相当するものである。
【図８】図７に示す構成に対応して、図４に示す軸心回りの回転、図５に示す支点回りの回転、及び図６に示す傾きの検出に用いられる関係の一例を示す図である。
【図９】図３に示すタッチペンの軸回転検出部による検出結果及び傾き検出部による検出結果に基づいて、タッチパネルに対する接触操作に応じて入力される線の形態が変更される様子を説明する図である。
【図１０】図３に示すタッチペンの軸回転検出部による検出結果及び傾き検出部による検出結果に基づいて、タッチパネルに対する接触操作に応じて入力される線の太さが図９に示す線より太くなるように設定された様子を説明する図である。
【図１１】図３に示すタッチペンの軸回転検出部による検出結果及び傾き検出部による検出結果に基づいて、タッチパネルに対する接触操作に応じて入力される線の太さが図９に示す線より細くなるように設定された様子を説明する図である。
【図１２】図３に示すタッチペンの軸回転検出部による検出結果及び傾き検出部による検出結果に基づいて、タッチパネルに対する接触操作に応じて入力される線の種類が破線となるように設定された様子を説明する図である。
【図１３】図３に示すタッチペンの軸回転検出部による検出結果及び傾き検出部による検出結果に基づいて、タッチパネルに対する接触操作に応じて入力される線の種類が一点鎖線となるように設定された様子を説明する図である。
【図１４】図２に示す表示装置のディスプレイにおける画像表示制御の一例として、スライドモードにおいて複数の画像がディスプレイにスライド表示される様子を概念的に示す図である。
【図１５】図１４に示す複数の画像のスライド切替表示に対応して、図３のタッチペンに備えられた軸回転検出部により検出された右方向の回転に基づいて、図２の表示装置のディスプレイに表示される複数の画像がスライド切替表示させられる様子を概念的に説明する図である。
【図１６】図１４に示す複数の画像のスライド切替表示に対応して、図３のタッチペンに備えられた軸回転検出部により検出された左方向の回転に基づいて、図２の表示装置のディスプレイに表示される複数の画像がスライド切替表示させられる様子を概念的に説明する図である。
【図１７】図２に示す表示装置のディスプレイにおける画像表示制御の他の一例として、スライドモードにおいて複数の画像がディスプレイにスライド表示されると共に、それらの画像が仮想的な前後方向に切替表示される様子を概念的に示す図である。
【図１８】図１７に示す複数の画像の仮想的な前後方向の切替表示に対応して、図３のタッチペンに備えられた軸回転検出部による検出結果に基づいて、図２の表示装置のディスプレイにおける画像の表示制御としてその画像の仮想的な前後方向の切替表示が実行される様子を概念的に示す図である。
【図１９】図２に示す表示装置の制御部により実行されるメイン制御の要部を説明するフローチャートである。
【図２０】図１９に示すメイン制御における入力モード処理の要部を説明するフローチャートである。
【図２１】図１９に示すメイン制御におけるスライドモード軸回転処理の要部を説明するフローチャートである。
【図２２】図１９に示すメイン制御におけるスライドモード支点回転処理の要部を説明するフローチャートである。
【図２３】図３に示すタッチペンの制御部による回転検出／送信制御の要部を説明するフローチャートである。
【発明を実施するための形態】
【００１３】
以下、本発明の好適な実施例を図面に基づいて詳細に説明する。
【実施例】
【００１４】
図１は、本発明の一実施例である表示装置１０の外観を概略的に示す図である。この図１に示すように、本実施例の表示装置１０は、所定の画像（映像）を表示させると共に、利用者の接触操作に応じて入力を行うためのタッチパネルディスプレイ１２を備えている。また、そのタッチパネルディスプレイ１２に対する接触操作に用いられる軸状のタッチペン１４を別体に備えている。このタッチペン１４は、本実施例の表示装置１０の利用に際して、例えば鉛筆やペンのような筆記具と同様に利用者の指に保持されて用いられるものであり、図１に示すように上記タッチパネルディスプレイ１２に対する接触操作により描画（フリードロー）を行ったり、そのタッチパネルディスプレイ１２に表示されたアイコンへの接触により所定の選択操作を行ったりという基本的な操作に加えて、後述するようにそのタッチペン１４の回転や傾き等に応じて上記表示装置１０において各種制御が実行される。
【００１５】
図２は、上記表示装置１０の構成を説明するブロック線図である。この図２に示すように、本実施例の表示装置１０は、その表示装置１０による画像表示制御をはじめとする各種制御を実行する制御部１６と、複数の画像情報（画像ファイル）をはじめとする各種情報を記憶するフラッシュメモリ等の記憶部１８と、上記タッチペン１４等から送信される無線信号の受信を行うための無線受信部２０とを、備えて構成されている。
【００１６】
図２に示すように、前記タッチパネルディスプレイ１２は、そのタッチパネルディスプレイ１２に所定の映像を表示させるディスプレイ２２と、利用者の指や備え付けの前記タッチペン１４等による前記タッチパネルディスプレイ１２への接触により入力を行うタッチパネル２４とを、備えて構成されている。また、上記表示装置１０には、上記ディスプレイ２２による画像（映像）の表示制御を行う表示制御部２６と、上記タッチパネル２４により入力される入力情報を処理する入力制御部２８とが備えられており、それら表示制御部２６及び入力制御部２８により上記ディスプレイ２２及びタッチパネル２４を介して上記タッチパネルディスプレイ１２による画像表示制御乃至情報入力制御が実行される。ここで、上記タッチパネル２４は、好適には、その表面に対する圧力を検出することでその検出結果に対応する信号を出力するものであるが、位置検出の方式としては他に電子式、電磁誘導式、静電式、光学式、超音波式等が採用される。
【００１７】
前記制御部１６は、例えば、中央演算処理装置であるＣＰＵと、読出専用メモリであるＲＯＭと、随時書込読出メモリであるＲＡＭとを、備えて構成され、ＲＡＭの一時記憶機能を利用しつつＲＯＭに記憶された情報に基づいてＣＰＵにより種々の情報処理を実行する所謂マイクロコンピュータであり、上記表示制御部２６を介して前記タッチパネルディスプレイ１２（ディスプレイ２２）に所定の画像を表示させる画像表示制御、そのタッチパネルディスプレイ１２（タッチパネル２４）への接触操作に応じて上記入力制御部２８を介して入力される入力信号を処理する入力処理制御、及び前記無線受信部２０により受信された無線信号の処理等、本実施例の表示装置１０に関する各種制御を実行する。また、図２に示すように、前記制御部１６には、入力モード判定部３０及び操作制御部３２が機能的に備えられている。これらの制御機能については、図９乃至図１８等を用いて後述する。
【００１８】
前記記憶部１８には、前記表示制御部２６を介して前記タッチパネルディスプレイ１２（ディスプレイ２２）に所定の画像を表示させるための画像情報として、例えばＪＰＥＧ（Joint Photographic Experts Group）、ＰＮＧ（Portable Network Graphics）、ＧＩＦ（Graphics Interchange Format）等のファイル形式の画像データ（画像ファイル）が、それぞれの識別情報をインデックスとして記憶されている。なお、前記ディスプレイ２２は、静止画像のみならず動画を表示させるものであってもよく、前記記憶部１８に記憶される画像情報は、静止画に対応するものであると動画に対応するものであるとを問わない。また、図２に示すように、前記制御部１６による本実施例の制御に際して、前記記憶部１８にペンステータステーブル３４が形成される。このペンステータステーブル３４については、上記入力モード判定部３０及び操作制御部３２の説明と併せて後述する。
【００１９】
図３は、前記タッチペン１４に備えられた（内蔵された）構成を説明するブロック線図である。この図３に示すように、前記タッチペン１４は、そのタッチペン１４における回転検出及び傾き検出制御をはじめとする各種制御を実行する制御部３６と、前記タッチペン１４に係る軸心回りの回転を検出する軸回転検出部３８と、前記タッチペン１４に係る支点回りの回転（回動）を検出する支点回転検出部４０と、前記タッチパネルディスプレイ１２に対する前記タッチペン１４の軸心の傾きを検出する傾き検出部４２と、上記軸回転検出部３８、支点回転検出部４０、及び傾き検出部４２の検出結果を無線信号として前記表示装置１０に対して送信する無線送信部４４と、上記制御部３６、軸回転検出部３８、支点回転検出部４０、傾き検出部４２、及び無線送信部４４等を作動させるための電気エネルギを供給する電源部４６とを、備えて構成されている。なお、この電源部４６は、電気ケーブル等により有線で電源が確保される場合には必ずしも設けられる必要がない。
【００２０】
図４は、前記軸回転検出部３８により検出される前記タッチペン１４に係る軸心回りの回転について説明する図である。この図４に矢印で示すように、前記軸回転検出部３８は、前記タッチペン１４の軸心Ｃを回転軸とする回転（自転）の方向乃至その回転量を検出する。この回転量の検出としては、好適には、前記タッチペン１４の軸心Ｃ回りに所定角度（例えば４５°）以上の回転が行われたか否かが検出され、斯かる検出が繰り返されることによりその累積的な回転量が算出される。
【００２１】
図５は、前記支点回転検出部４０により検出される前記タッチペン１４に係る支点回りの回転について説明する図である。この図５に矢印で示すように、前記支点回転検出部４０は、前記タッチペン１４の長手方向の中央部（厳密に中央でなくともよい）を支点Ｆとする、そのタッチペン１４の軸心Ｃを含む平面内の回転方向乃至その回転量を検出する。換言すれば、前記タッチペン１４のペン先の向きが変わるような方向に係るそのタッチペン１４の回転方向乃至その回転量を検出する。この回転量の検出としては、好適には、前記タッチペン１４に係る支点Ｆ回りに所定角度（例えば４５°）以上の回転が行われたか否かが検出され、斯かる検出が繰り返されることによりその累積的な回転量が算出される。
【００２２】
図６は、前記傾き検出部４２により検出される前記タッチパネルディスプレイ１２に対する前記タッチペン１４の軸心の傾きについて説明する図である。この図６に示すように、前記傾き検出部４２は、前記タッチパネルディスプレイ１２の平面部１２ｐ（ディスプレイ２２及びタッチパネル２４に共通の表面）の垂線に対する前記タッチペン１４の軸心Ｃの傾斜角度θを検出する。好適には、その傾斜角度θが１０°以下であるか、１０°〜４５°の範囲内であるか、或いは４５°以上であるかといったように、上記平面部１２ｐの垂線に対する前記タッチペン１４の軸心Ｃの傾斜角度θを段階的に検出する。
【００２３】
図７は、前記軸回転検出部３８、支点回転検出部４０、及び傾き検出部４２による検出を可能とするために、前記タッチペン１４に備えられた構成の一例を説明する図であり、前記タッチペン１４を軸心方向（長手方向）に視た断面に相当するものである。この図７に示すように、前記タッチペン１４には、その軸心Ｃに垂直な平面内に、それぞれ１軸方向の加速度を検出する３つの加速度センサ４８ａ、４８ｂ、４８ｃ（以下、特に区別しない場合には単に加速度センサ４８という）が内蔵されている。これらの加速度センサ４８は、それぞれ図７に示すＡ−Ｂ方向すなわち黒く塗り潰された方向であるＡとその逆方向であるＢとで表される１軸方向の加速度を検出するものであり、少なくともその加速度がＡ及びＢの何れの方向に向かうものか検出し得るように構成されている。そして、図７に示すように、上記加速度センサ４８ａ、４８ｂ、４８ｃそれぞれにおけるＡ−Ｂ方向が互いに１２０°を成すように構成されることで、前記タッチペン１４の軸心Ｃに垂直な平面内において互いに１２０°を成す３軸方向の加速度（少なくともその加速方向）が検出されるようになっている。また、これらの加速度センサ４８が設けられる部位は、前記タッチペン１４の長手方向中央部を避けてその中央部よりもペン先側、或いはその反対側であることが好ましい。なお、以下の実施例においては、前記タッチペン１４の中央部よりペン先の反対側における所定部位に上記加速度センサ４８が設けられた態様について説明する。
【００２４】
前記軸回転検出部３８、支点回転検出部４０、及び傾き検出部４２は、予め定められた関係から上記加速度センサ４８による検出結果に基づいて前記検出を行う。図８は、この検出に用いられる関係の一例を示す図である。図７に示すように各加速度センサ４８が配置された構成においては、前記タッチペン１４の軸心Ｃ回りの右回転、左回転、及びその軸心Ｃを含む平面内における支点Ｆ回りの右回転、左回転でそれぞれ各加速度センサ４８ａ（センサ１）、４８ｂ（センサ２）、４８ｃ（センサ３）により検出される検出結果のパターン（組み合わせ）が異なる。なお、本実施例においては、前記タッチペン１４のペン先と同じ方向を向いての右回りを軸心回りの右回転と定義する。すなわち、図８に示すように、前記タッチペン１４の軸心Ｃを水平方向とした場合における重力に対応して、前記加速度センサ４８ａにおいては加速度は検出されず、前記加速度４８ｂにおいてはＡ方向の加速度が検出され、前記加速度センサ４８ｃにおいてはＢ方向の加速度が検出される。また、前記タッチペン１４の軸心Ｃ回りの右回転に対応して、前記加速度センサ４８ａ、４８ｂ、４８ｃの何れにおいてもＢ方向の加速度が検出される。また、前記タッチペン１４の軸心Ｃ回りの左回転に対応して、前記加速度センサ４８ａ、４８ｂ、４８ｃの何れにおいてもＡ方向の加速度が検出される。また、前記タッチペン１４の軸心Ｃを含む平面内における支点Ｆ回りの右回転に対応して、前記加速度４８ａにおいてはＡ方向の加速度が検出され、前記加速度４８ｂにおいてはＢ方向の加速度が検出され、前記加速度センサ４８ｃにおいてはＢ方向の加速度が検出される。また、前記タッチペン１４の軸心Ｃを含む平面内における支点Ｆ回りの左回転に対応して、前記加速度４８ａにおいてはＢ方向の加速度が検出され、前記加速度４８ｂにおいてはＡ方向の加速度が検出され、前記加速度センサ４８ｃにおいてはＡ方向の加速度が検出される。このような関係、すなわち図８に示すような前記タッチペン１４の回転の態様と各加速度センサ４８により検出される加速度方向との対応パターンが前記制御部３６のＲＡＭ或いは図示しない記憶部等に記憶されている。
【００２５】
前記軸回転検出部３８、支点回転検出部４０、及び傾き検出部４２は、前記各加速度センサ４８により検出される加速度の方向と図８の関係を照合することでそれぞれ前記検出を行う。なお、前記タッチパネルディスプレイ１２の平面部１２ｐに対する前記タッチペン１４の傾きの変化は、その軸心Ｃを含む平面内の回転に相当するものであるため、図８に示す支点回転に対応する関係に基づいて判断できる。また、各加速度センサ４８により検出される重力加速度の方向に基づいて前記平面部１２ｐに対する前記タッチペン１４の傾きを検出する態様も考えられる。以上のようにして前記軸回転検出部３８、支点回転検出部４０、及び傾き検出部４２により検出された検出結果は、前記無線送信部４４から前記表示装置１０に対して送信され、その表示装置１０における無線受信部２０により受信されて前記制御部１６等へ供給される。なお、前記無線送信部４４から無線受信部２０への情報の送信には、赤外線通信が好適に用いられるが、ブルートゥース（登録商標）通信等の近距離無線通信により実現されるものであってもよい。
【００２６】
図２に示す入力モード判定部３０は、前記タッチパネル２４への入力に前記タッチペン１４を用いる入力モードであるか否かを判定する。例えば、前記タッチパネル２４に対する接触操作（入力操作）が行われている場合、及び最後に接触操作が行われてから所定時間が経過するまでの間には入力モードであることを判定する一方、最後に前記タッチパネル２４に対する接触操作が行われてから上記所定時間が経過している場合には非入力モードであることを判定する。この非入力モードの一例として、後述するように前記ディスプレイ２２に表示される画像をスライド移動させるスライドモードがある。以下、本実施例においては、非入力モードとしてスライドモードが判定された場合について説明する。ここで、前記タッチパネル２４に対する接触操作は、前記タッチペン１４のみならず他の軸状部材乃至利用者の指等によっても行い得るが、本実施例においては前記タッチパネル２４に対する接触操作は専ら前記タッチペン１４により行われるものと考え、そのタッチパネル２４に対する接触操作の有無に応じて斯かる判定を行う。また、前記表示装置１０にスイッチを設け、そのスイッチの切り替えに応じて上記入力モードであるか否かの判定を行う態様も考えられる。
【００２７】
図２に示す操作制御部３２は、前記タッチペン１４の軸回転検出部３８、支点回転検出部４０、及び傾き回転検出部４２の検出結果の少なくとも１つに基づいて、前記ディスプレイ２２における画像の表示制御又は前記タッチパネル２４における接触操作に係る入力条件の変更を実行する。以下、この操作制御部３２による具体的な制御を図９乃至図１８を参照して詳述する。
【００２８】
前記操作制御部３２は、好適には、前記入力モード判定部３０の判定が肯定される場合すなわち前記タッチパネル２４への入力に前記タッチペン１４を用いる入力モードにおいては、前記軸回転検出部３８による検出結果及び前記傾き検出部４２による検出結果に基づいて、前記タッチパネル２４における接触操作に係る入力条件の変更を実行する。好適には、斯かる入力条件として前記タッチパネル２４に対する接触操作に応じて入力される線の形態（プロパティ）を変更する。ここで、前記タッチパネル２４に対する接触操作に応じて入力される線とは、前記表示装置１０に機能的に備えられたペイントアプリケーション等の制御により、前記タッチパネル２４に対する接触操作に応じて前記ディスプレイ２２に描画される直線乃至曲線であり、例えば複数のパスの連結により表されるものである。
【００２９】
図９乃至図１３は、前記軸回転検出部３８による検出結果及び前記傾き検出部４２による検出結果に基づいて、前記タッチパネル２４に対する接触操作に応じて入力される線の形態が変更される様子を説明する図である。前記タッチペン１４を用いての前記タッチパネルディスプレイ１２に対する線描では、図９に示すように、前記タッチパネル２４に対する接触操作に応じてその接触操作に対応する線５０ａ（以下、特に他の線と区別しない場合には単に線５０と称する）が前記ディスプレイ２２に略即時的に反映（表示）される。すなわち、前記タッチパネル２４に対する前記タッチペン１４の接触部位が移動させられることで、その移動軌跡に対応する線５０ａが追従して前記ディスプレイ２２に表示（描画）される。
【００３０】
ここで、前記操作制御部３２は、好適には、前記軸回転検出部３８による検出結果に基づいて、前記タッチパネル２４における接触操作に応じて入力される線５０の太さ（線幅）を変更する。この接触操作に応じて入力される線５０の太さとしては、「0.1point」、「0.5point」、「1.0point」、・・・というように、複数段階の線幅が予め定められており、前記操作制御部３２は、好適には、前記軸回転検出部３８による検出結果に基づいて、前記タッチパネル２４における接触操作に応じて入力される線５０の太さを上記段階的に定められた線幅の何れかに設定する。例えば、前記軸回転検出部３８により前記タッチペン１４の軸心回りの右回転が検出された場合には、前記タッチパネル２４に対する前記タッチペン１４の接触部位の移動軌跡に対応して描かれる線の太さを太くする入力条件の変更を行う。例えば線幅が「0.5point」である状態からの斯かる入力条件の変更に伴い、例えば図９に示すものと同様の入力操作を行った場合に、前記タッチパネルディスプレイ１２（ディスプレイ２２）には図１０に示すように上記線５０ａよりも線幅の太い例えば「1.0point」の線５０ｂが描かれる。また、前記軸回転検出部３８により前記タッチペン１４の軸心回りの左回転が検出された場合には、前記タッチパネル２４に対する前記タッチペン１４の接触部位の移動軌跡に対応して描かれる線の太さを細くする入力条件の変更を行う。例えば線幅が「0.5point」である状態からの斯かる入力条件の変更に伴い、例えば図９に示すものと同様の入力操作を行った場合に、前記タッチパネルディスプレイ１２（ディスプレイ２２）には図１１に示すように上記線５０ａよりも線幅の細い例えば「0.1point」の線５０ｃが描かれる。更に、前記軸回転検出部３８により検出される前記タッチペン１４の軸心回りの所定方向（例えば右回り）の回転量（回転角）に基づいて、上記線５０の太さを連続的（リニア）に変更する制御も考えられる。
【００３１】
また、前記操作制御部３２は、好適には、前記軸回転検出部３８による検出結果に基づいて、前記タッチパネル２４における接触操作に応じて入力される線５０の種類（線種）を変更する。この接触操作に応じて入力される線５０の種類としては、「二点鎖線」、「一点鎖線」、「実線」、「破線」、・・・というように、複数種類の線が予め定められており、前記操作制御部３２は、好適には、前記軸回転検出部３８による検出結果に基づいて、前記タッチパネル２４における接触操作に応じて入力される線５０の種類を上記複数種類の線種の何れかに設定する。例えば、線種が「実線」である状態において前記軸回転検出部３８により前記タッチペン１４の軸心回りの右回転が検出された場合には、前記タッチパネル２４に対する前記タッチペン１４の接触部位の移動軌跡に対応して描かれる線の種類を予め定められた１つ次の線種である「破線」とする入力条件の変更を行う。斯かる入力条件の変更に伴い、例えば図９に示すものと同様の入力操作を行った場合に、前記タッチパネルディスプレイ１２（ディスプレイ２２）には図１２に示すように破線である線５０ｄが描かれる。また、線種が「実線」である状態において前記軸回転検出部３８により前記タッチペン１４の軸心回りの左回転が検出された場合には、前記タッチパネル２４に対する前記タッチペン１４の接触部位の移動軌跡に対応して描かれる線の種類を予め定められた１つ前の線種である「一点鎖線」とする入力条件の変更を行う。斯かる入力条件の変更に伴い、例えば図９に示すものと同様の入力操作を行った場合に、前記タッチパネルディスプレイ１２（ディスプレイ２２）には図１３に示すように一点鎖線である線５０ｅが描かれる。更に、前記軸回転検出部３８により検出される前記タッチペン１４の軸心回りの所定方向（例えば右回り）の回転量（回転角）に基づいて、上記線５０の線種が「一点鎖線」、「二点鎖線」、「三点鎖線」、・・・、「破線」というように、その線種を連続的（リニア）に変更する制御も考えられる。
【００３２】
また、前記操作制御部３２は、好適には、前記軸回転検出部３８による検出結果に基づいて、前記タッチパネル２４における接触操作に応じて入力される線５０の色（線色）を変更する。この接触操作に応じて入力される線５０の色としては、「赤」、「黒」、「青」、・・・というように、複数種類の色が予め定められており、前記操作制御部３２は、好適には、前記軸回転検出部３８による検出結果に基づいて、前記タッチパネル２４における接触操作に応じて入力される線５０の色を上記複数種類の色の何れかに設定する。例えば、線色が「黒」である状態において前記軸回転検出部３８により前記タッチペン１４の軸心回りの右回転が検出された場合には、前記タッチパネル２４に対する前記タッチペン１４の接触部位の移動軌跡に対応して描かれる線の色を予め定められた１つ次の線色である「青」とする入力条件の変更を行う。斯かる入力条件の変更に伴い、例えば図９に示すものと同様の入力操作を行った場合に、前記タッチパネルディスプレイ１２（ディスプレイ２２）には青色の線５０が描かれる。また、線色が「黒」である状態において前記軸回転検出部３８により前記タッチペン１４の軸心回りの左回転が検出された場合には、前記タッチパネル２４に対する前記タッチペン１４の接触部位の移動軌跡に対応して描かれる線の色を予め定められた１つ前の色である「赤」とする入力条件の変更を行う。斯かる入力条件の変更に伴い、例えば図９に示すものと同様の入力操作を行った場合に、前記タッチパネルディスプレイ１２（ディスプレイ２２）には赤色の線５０が描かれる。更に、斯かる制御に際して予め円状に配置された色パレットのウインドウが表示され、前記軸回転検出部３８により検出される前記タッチペン１４の軸心回りの所定方向（例えば右回り）の回転量（回転角）に基づいて、上記線５０の線色がその色パレットのウインドウ上における何れかに定まるような制御も考えられる。
【００３３】
また、前記操作制御部３２は、好適には、前記軸回転検出部３８による検出結果に基づく前記入力条件の変更としての線の形態（プロパティ）の変更を、前記傾き検出部４２による検出結果に基づいて決定する。例えば、前記タッチパネル２４における接触操作に応じて入力される線５０の形態の変更に関して、前述のようにそれぞれ異なる３つの形態の変更すなわち線５０の太さ（線幅）の変更、線５０の種類（線種）の変更、及び線５０の色（線色）の変更が可能とされている場合において、前記傾き検出部４２による検出結果に基づいてその何れかの変更を選択的に実行する。例えば、前記傾き検出部４２により検出される前記平面部１２ｐに対する前記タッチペン１４の傾きθ（図６を参照）が第１の角度範囲内（例えば０°〜１０°の範囲内）である場合には、前記軸回転検出部３８による検出結果に基づいて、前記タッチパネル２４における接触操作に応じて入力される線５０の太さ（線幅）を変更する。また、前記傾き検出部４２により検出される前記平面部１２ｐに対する前記タッチペン１４の傾きθが第２の角度範囲内（例えば１０°〜４５°の範囲内）である場合には、前記軸回転検出部３８による検出結果に基づいて、前記タッチパネル２４における接触操作に応じて入力される線５０の種類（線種）を変更する。また、前記傾き検出部４２により検出される前記平面部１２ｐに対する前記タッチペン１４の傾きθが第３の角度範囲内（例えば４５°〜９０°の範囲内）である場合には、前記軸回転検出部３８による検出結果に基づいて、前記タッチパネル２４における接触操作に応じて入力される線５０の色（線色）を変更する。更に、前記傾き検出部４２により検出される絶対的な角度ではなく、前記タッチペン１４のペン先が前記タッチパネル２４上に停止した際の角度からの相対角度変化に応じて上記制御を実行するものであってもよい。
【００３４】
また、前記操作制御部３２は、好適には、前記入力モード判定部３０の判定が肯定される場合すなわち前記タッチパネル２４への入力に前記タッチペン１４を用いる入力モードにおいて、前記軸回転検出部３８による検出結果及び前記傾き検出部４２による検出結果に基づく記タッチパネル２４における接触操作に係る入力条件の変更として、前記タッチパネル２４に対する接触操作に応じて入力される或いは選択された文字乃至文字列の形態（プロパティ）を変更する。好適には、前記軸回転検出部３８による検出結果に基づいて、前記タッチパネル２４における接触操作に応じて入力される或いは選択された文字乃至文字列の削除等の編集を行う。例えば、前記軸回転検出部３８により前記タッチペン１４の軸心回りの右回転が検出された場合には、選択中の文字乃至文字列を消去する編集を行う。また、前記軸回転検出部３８により前記タッチペン１４の軸心回りの左回転が検出された場合には、消去された文字乃至文字列を元に戻す（処理のアンドゥを実行する）編集を行う。なお、斯かる制御は前述した線５０に係る入力条件の変更と選択的に実行されるものであり、好適には所定の操作によりその何れかの処理が実行されるものであるが、製品によってその何れかが適用されるものであってもよい。
【００３５】
また、前記操作制御部３２は、好適には、前記軸回転検出部３８による検出結果に基づいて、前記タッチパネル２４における接触操作に応じて入力される或いは選択された文字乃至文字列のフォントを変更する。この接触操作に応じて入力されるフォントの種類としては、「ゴシック体」、「行書体」、「明朝体」、・・・というように、複数種類のフォントが予め定められており、前記操作制御部３２は、好適には、前記軸回転検出部３８による検出結果に基づいて、前記タッチパネル２４における接触操作に応じて入力される或いは選択されたフォントを上記複数種類のフォントの何れかに設定する。例えば、例えば文字乃至文字列のフォントが「行書体」である状態から前記軸回転検出部３８により前記タッチペン１４の軸心回りの右回転が検出された場合には、前記タッチパネル２４における接触操作に応じて入力される或いは選択された文字乃至文字列のフォントを予め定められた１つ次のフォントである「明朝体」とする入力条件の変更乃至編集を行う。また、例えば文字乃至文字列のフォントが「行書体」である状態から前記軸回転検出部３８により前記タッチペン１４の軸心回りの左回転が検出された場合には、前記タッチパネル２４における接触操作に応じて入力される或いは選択された文字乃至文字列のフォントを予め定められた１つ前のフォントである「ゴシック体」とする入力条件の変更乃至編集を行う。更に、斯かる制御に際して予め定められたフォントリストが表示され、前記軸回転検出部３８により検出される前記タッチペン１４の軸心回りの所定方向（例えば右回り）の回転量（回転角）に基づいて、文字乃至文字列のフォントがそのフォントリストのにおける何れかに定まるような制御も考えられる。
【００３６】
また、前記操作制御部３２は、好適には、前記軸回転検出部３８による検出結果に基づいて、前記タッチパネル２４における接触操作に応じて入力される或いは選択された文字乃至文字列のサイズ（フォントサイズ）を変更する。この接触操作に応じて入力される文字乃至文字列のサイズとしては、「1point」、「5point」、「10point」、・・・というように、複数段階のサイズが予め定められており、前記操作制御部３２は、好適には、前記軸回転検出部３８による検出結果に基づいて、前記タッチパネル２４における接触操作に応じて入力される或いは選択された文字乃至文字列のサイズを上記段階的に定められたサイズの何れかに設定する。例えば、例えば文字乃至文字列のサイズが「0.5point」である状態から前記軸回転検出部３８により前記タッチペン１４の軸心回りの右回転が検出された場合には、前記タッチパネル２４における接触操作に応じて入力される或いは選択された文字乃至文字列のサイズを予め定められた１つ大きいサイズである「10point」とする入力条件の変更乃至編集を行う。また、例えば文字乃至文字列のサイズが「0.5point」である状態から前記軸回転検出部３８により前記タッチペン１４の軸心回りの左回転が検出された場合には、前記タッチパネル２４における接触操作に応じて入力される或いは選択された文字乃至文字列のサイズを予め定められた１つ小さいサイズである「1point」とする入力条件の変更乃至編集を行う。更に、例えばスケーラブルフォントが適用される場合において、前記軸回転検出部３８により検出される前記タッチペン１４の軸心回りの所定方向（例えば右回り）の回転量（回転角）に基づいて、文字乃至文字列のサイズを例えば1pointずつ連続的（リニア）に変更する制御も考えられる。
【００３７】
また、前記操作制御部３２は、好適には、前記軸回転検出部３８による検出結果に基づいて、前記タッチパネル２４における接触操作に応じて入力される或いは選択された文字乃至文字列の色（文字色）を変更する。この接触操作に応じて入力される文字乃至文字列の色としては、「赤」、「黒」、「青」、・・・というように、複数種類の色が予め定められており、前記操作制御部３２は、好適には、前記軸回転検出部３８による検出結果に基づいて、前記タッチパネル２４における接触操作に応じて入力される或いは選択された文字乃至文字列の色を上記複数種類の色の何れかに設定する。例えば、例えば文字乃至文字列の色が「黒」である状態において前記軸回転検出部３８により前記タッチペン１４の軸心回りの右回転が検出された場合には、前記タッチパネル２４における接触操作に応じて入力される或いは選択された文字乃至文字列の色を予め定められた１つ次の線色である「青」とする入力条件の変更乃至編集を行う。また、例えば文字乃至文字列の色が「黒」である状態において前記軸回転検出部３８により前記タッチペン１４の軸心回りの左回転が検出された場合には、前記タッチパネル２４における接触操作に応じて入力される或いは選択された文字乃至文字列の色を予め定められた１つ前の線色である「赤」とする入力条件の変更乃至編集を行う。更に、斯かる制御に際して予め円状に配置された色パレットのウインドウが表示され、前記軸回転検出部３８により検出される前記タッチペン１４の軸心回りの所定方向（例えば右回り）の回転量（回転角）に基づいて、文字乃至文字列の色がその色パレットのウインドウ上における何れかに定まるような制御も考えられる。
【００３８】
また、前記操作制御部３２は、好適には、前記軸回転検出部３８による検出結果に基づく前記文字乃至文字列の形態（プロパティ）の変更を、前記傾き検出部４２による検出結果に基づいて決定する。例えば、前記タッチパネル２４における接触操作に応じて入力される或いは選択された文字乃至文字列の形態の変更に関して、前述のようにそれぞれ異なる３つの形態の変更すなわち文字乃至文字列のフォントの変更、文字乃至文字列の大きさ（フォントサイズ）の変更、及び文字乃至文字列の色の変更が可能とされている場合において、前記傾き検出部４２による検出結果に基づいてその何れかの変更を選択的に実行する。例えば、前記傾き検出部４２により検出される前記平面部１２ｐに対する前記タッチペン１４の傾きθ（図６を参照）が第１の角度範囲内（例えば０°〜１０°の範囲内）である場合には、前記軸回転検出部３８による検出結果に基づいて、前記タッチパネル２４における接触操作に応じて入力される或いは選択された文字乃至文字列のフォントを変更する。また、前記傾き検出部４２により検出される前記平面部１２ｐに対する前記タッチペン１４の傾きθが第２の角度範囲内（例えば１０°〜４５°の範囲内）である場合には、前記軸回転検出部３８による検出結果に基づいて、前記タッチパネル２４における接触操作に応じて入力される或いは選択された文字乃至文字列の大きさ（フォントサイズ）を変更する。また、前記傾き検出部４２により検出される前記平面部１２ｐに対する前記タッチペン１４の傾きθが第３の角度範囲内（例えば４５°〜９０°の範囲内）である場合には、前記軸回転検出部３８による検出結果に基づいて、前記タッチパネル２４における接触操作に応じて入力される或いは選択された文字乃至文字列の色を変更する。
【００３９】
また、前記操作制御部３２は、好適には、前記軸回転検出部３８による検出結果に基づいて、前記タッチパネル２４における接触操作に応じて選択された文字乃至文字列のコピー（複製）及びペースト（貼り付け）等の編集を選択的に実行する。例えば、前記軸回転検出部３８により前記タッチペン１４の軸心回りの右回転が検出された場合には、前記タッチパネル２４における接触操作に応じて選択された文字乃至文字列のコピーを実行する。また、前記軸回転検出部３８により前記タッチペン１４の軸心回りの左回転が検出された場合には、例えば上記操作によりコピーされた文字乃至文字列を前記タッチパネル２４における接触操作に応じた位置にペーストする編集を実行する。
【００４０】
また、前記操作制御部３２は、好適には、前記軸回転検出部３８による検出結果に基づいて、前記ディスプレイ２２に表示される編集画面（描画に係る作業エリア）の拡大、縮小、及び回転等の変更を選択的に実行する。例えば、前記軸回転検出部３８により前記タッチペン１４の軸心回りの右回転が検出された場合には、前記ディスプレイ２２に表示される編集画面を拡大する。また、前記軸回転検出部３８により前記タッチペン１４の軸心回りの左回転が検出された場合には、前記ディスプレイ２２に表示される編集画面を縮小する。
【００４１】
また、前記操作制御部３２は、好適には、前記入力モード判定部３０の判定が肯定される場合すなわち前記タッチパネル２４への入力に前記タッチペン１４を用いる入力モードにおいて、前記軸回転検出部３８、支点回転検出部４０、及び傾き検出部４２の少なくとも１つにより前記タッチペン１４の回転乃至傾きの変化が検出された場合であっても、前記タッチパネル２４に対する前記タッチペン１４の接触部位の座標が所定の速度以上で変化していると判定される場合には、そのタッチペン１４の回転乃至傾きの変化に基づく前記入力条件の変更等の制御を実行しない（非実行とする）。前記タッチパネル２４に対する前記タッチペン１４の接触部位の座標が所定の速度以上で変化していると判定される場合においては、利用者が斯かるタッチペン１４により前記タッチパネル２４に対する描画を実行中であることが考えられる。斯かる場合には、前記ディスプレイ２２における画像の表示制御又は前記タッチパネル２４における接触操作に係る入力条件の変更を意図するのではなく、描画に係る動きとして前記タッチペン１４が回転させられたり傾きが変わったりすることが考えられるため、前述の制御を非実行とすることで、利用者の意図しない前記ディスプレイ２２における画像の表示制御又は前記タッチパネル２４における接触操作に係る入力条件の変更が実行されることを好適に抑制することができる。
【００４２】
また、前記操作制御部３２は、好適には、前記入力モード判定部３０の判定が否定される場合すなわち前記タッチパネル２４への入力に前記タッチペン１４を用いる入力モードではない非入力モード（スライドモード）においては、前記軸回転検出部３８及び支点回転検出部４０による検出結果の少なくとも一方に基づいて、前記ディスプレイ２２における画像の表示制御としてその画像の変形又は切替を実行する。
【００４３】
図１４は、前記ディスプレイ２２における画像表示制御の一例として、スライドモードにおいて複数の画像が前記ディスプレイ２２にスライド表示される様子を概念的に示す図である。前記表示装置１０における画像表示モードの一例であるスライドモードにおいては、前記ディスプレイ２２に複数の画像が所定の操作に応じて横方向（ディスプレイ２２に向かって左右方向）にスライドさせられつつ切替表示させられる。例えば、図１４に示す例では、第１の画像である「Pic.A」、第２の画像である「Pic.B」、第３の画像である「Pic.C」、及び第４の画像である「Pic.D」が、基本的には前記タッチパネル２４に対する接触操作（例えばタッチパネル２４に対する接触状態を保ったままの横方向へのスライド操作）に応じて切替表示させられる。すなわち、図１４に示す状態においては前記ディスプレイ２２に第２の画像である「Pic.B」が表示されており、前記タッチパネル２４に対する接触状態を保ったまま右方向へのスライド操作が行われること等により前記ディスプレイ２２に表示される画像が「Pic.B」から「Pic.A」へスライド切り替えされる一方、前記タッチパネル２４に対する接触状態を保ったまま左方向へのスライド操作が行われること等により前記ディスプレイ２２に表示される画像が「Pic.B」から「Pic.C」へ、更には「Pic.D」へスライド切り替えされる。
【００４４】
図１５及び図１６は、図１４を用いて上述した複数の画像のスライド切替表示に対応して、前記軸回転検出部３８による検出結果に基づいて、前記ディスプレイ２２における画像の表示制御としてその画像のスライド切替表示が実行される様子を概念的に示す図である。これらの図に示すように、前記操作制御部３２は、好適には、前記軸回転検出部３８による検出結果に基づいて、前記ディスプレイ２２に複数の画像を横方向（ディスプレイ２２に向かって左右方向）にスライドさせつつ切替表示させる表示制御を実行する。例えば、前記軸回転検出部３８により前記タッチペン１４の軸心回りの右回転が検出された場合には、図１５に示すように、前記ディスプレイ２２の表示領域（表示される画像に対応する領域）を前記複数の画像に対して右方向（ディスプレイ２２に向かって右方向）にスライドさせつつ順次切替表示させる表示制御を実行する。また、前記軸回転検出部３８により前記タッチペン１４の軸心回りの左回転が検出された場合には、図１６に示すように、前記ディスプレイ２２の表示領域を前記複数の画像に対して左方向（ディスプレイ２２に向かって左方向）にスライドさせつつ順次切替表示させる表示制御を実行する。また、前記操作制御部３２は、好適には、前記軸回転検出部３８により検出される前記タッチペン１４の軸心回りの回転量乃至回転速度に基づいて、上記スライド切替表示に係るスライド量乃至スライド速度を制御する。すなわち、前記軸回転検出部３８により検出される回転量乃至回転速度が大きいほど上記スライド切替表示に係るスライド量乃至スライド速度が大きくなるように上記スライド切替表示制御を実行する。
【００４５】
図１７は、前記ディスプレイ２２における画像表示制御の他の一例として、スライドモードにおいて複数の画像が前記ディスプレイ２２にスライド表示されると共に、それらの画像が仮想的な前後方向（奥行き方向）に切替表示される様子を概念的に示す図である。なお、この図１７及び図１８、１９においては、簡略化のために前記表示装置１０本体を省略してタッチパネルディスプレイ１２のみを示している。図１７に示すスライドモードにおいては、前記ディスプレイ２２に複数の画像が所定の操作に応じて横方向（ディスプレイ２２に向かって左右方向）にスライドさせられつつ切替表示させられると共に、それらの画像が仮想的な前後方向（奥行き方向）に切替表示される。ここで、上記横方向のスライド切替表示に関しては、図１４乃至図１６を参照して前述した通りである。また、前後方向の切替表示に関して、例えば、図１７に示す例では、第１の画像である「Pic.A」、第２の画像である「Pic.B」、第３の画像である「Pic.C」、及び第４の画像である「Pic.D」を含む第１の表示列が最前面側に、第５の画像である「Pic.E」、第６の画像である「Pic.F」、第７の画像である「Pic.G」、及び第８の画像である「Pic.H」を含む第２の表示列が中央に、第９の画像である「Pic.I」、第１０の画像である「Pic.J」、第１１の画像である「Pic.K」、及び第１２の画像である「Pic.L」を含む第３の表示列が最背面側に、それぞれ仮想的に配置されている。そして、それらの表示列が基本的には前記タッチパネル２４に対する接触操作（例えばタッチパネル２４に表示された図示しない前後切替ボタンに対する接触操作）に応じて切替表示させられる。すなわち、図１７に示す状態においては前記ディスプレイ２２に第６の画像である「Pic.F」が表示されており、前記タッチパネル２４に表示された前後切替ボタンが押されること等により前記ディスプレイ２２に表示される画像が「Pic.F」から前面側（手前側）の「Pic.B」へ或いは背面側（奥側）の「Pic.J」へ切り替えられる。
【００４６】
図１８は、図１７を用いて上述した複数の画像の仮想的な前後方向の切替表示に対応して、前記軸回転検出部３８による検出結果に基づいて、前記ディスプレイ２２における画像の表示制御としてその画像の仮想的な前後方向の切替表示が実行される様子を概念的に示す図である。これらの図に示すように、前記操作制御部３２は、好適には、前記軸回転検出部３８による検出結果に基づいて、前記ディスプレイ２２に複数の画像を仮想的な前後方向（奥行き方向）に切替表示させる表示制御を実行する。例えば、前記軸回転検出部３８により前記タッチペン１４の軸心回りの左回転が検出された場合には、図１８にタッチパネルディスプレイ１２′で示すように、前記ディスプレイ２２に表示される画像を「Pic.F」から前面側（手前側）の「Pic.B」へ切り替える表示制御を実行する。また、前記軸回転検出部３８により前記タッチペン１４の軸心回りの右回転が検出された場合には、図１８にタッチパネルディスプレイ１２″で示すように、前記ディスプレイ２２に表示される画像を「Pic.F」から背面側（奥側）の「Pic.J」へ切り替える表示制御を実行する。
【００４７】
また、前記操作制御部３２は、好適には、前記軸回転検出部３８による検出結果及び前記タッチペン１４のペン先が指向している方向（長手方向）に基づいて、前記仮想的な前後方向に係る複数の画像の切替表示制御を実行する。すなわち、図１８に示すように、前記タッチパネルディスプレイ１２に向かって左右方向（タッチパネルディスプレイ１２の平面部１２ｐに平行を成す方向であって、その平面部１２ｐの横手方向）に前記タッチペン１４の軸心Ｃが指向している場合（厳密に一致していなくともよい）において、前記軸回転検出部３８による検出結果に基づいて前記仮想的な前後方向に係る複数の画像の切替表示制御を実行する。また、図１８に示すように、前記タッチペン１４のペン先（タッチパネル２４に接触させられる側の端部）が前記タッチパネルディスプレイ１２に向かって左方向を向いている場合において、前記軸回転検出部３８により前記タッチペン１４の軸心回りの左回転が検出された場合に前記ディスプレイ２２に表示される画像を前面側（手前側）の画像に切り替える表示制御を実行する一方、前記軸回転検出部３８により前記タッチペン１４の軸心回りの右回転が検出された場合に前記ディスプレイ２２に表示される画像を背面側（奥側）の画像に切り替える表示制御を実行する。他方、前記タッチペン１４のペン先が図１８の逆側すなわち前記タッチパネルディスプレイ１２に向かって右方向を向いている場合においては、前記軸回転検出部３８により前記タッチペン１４の軸心回りの右回転が検出された場合に前記ディスプレイ２２に表示される画像を前面側（手前側）の画像に切り替える表示制御を実行する一方、前記軸回転検出部３８により前記タッチペン１４の軸心回りの左回転が検出された場合に前記ディスプレイ２２に表示される画像を背面側（奥側）の画像に切り替える表示制御を実行する。
【００４８】
また、前記操作制御部３２は、好適には、図１８に示す例において、前記タッチパネルディスプレイ１２に向かって上下方向（タッチパネルディスプレイ１２の平面部１２ｐに平行を成す方向であって、その平面部１２ｐの上下方向）に前記タッチペン１４の軸心Ｃが指向している場合（厳密に一致していなくともよい）においては、前記軸回転検出部３８による検出結果に基づいて、図１５及び図１６等を用いて前述した複数の画像の左右方向のスライド切替表示制御を実行する。すなわち、図１８に示す第１の表示列、第２の表示列、及び第３の表示列それぞれにおいて、各表示列に含まれる複数の画像を前記軸回転検出部３８による検出結果に基づいて左右方向にスライドさせつつ切替表示させる表示制御を実行する。
【００４９】
ここで、前記タッチペン１４のペン先の方向すなわち前記タッチパネルディスプレイ１２の平面部１２ｐに対する前記タッチペン１４の軸心Ｃの方向の判定は、前記支点回転検出部４０による検出結果に基づいて行われる。また、図２に示すペンステータステーブル３４には、斯かる判定のために各時点における前記タッチペン１４の方向に対応するペンステータスが記憶される。すなわち、前記ペンステータステーブル３４には、前記平面部１２ｐに対して前記タッチペン１４のペン先を垂直に接触させている状態に対応してペンステータス「０」が、前記平面部１２ｐに対して前記タッチペン１４の軸心Ｃを平行とし且つその平面部１２ｐに対して右方向にそのペン先が向いている状態に対応してペンステータス「１」が、前記平面部１２ｐに対して前記タッチペン１４のペン先を垂直とし且つそのペン先が前記平面部１２ｐの逆方向を向いている状態に対応してペンステータス「２」が、前記平面部１２ｐに対して前記タッチペン１４の軸心Ｃを平行とし且つその平面部１２ｐに対して左方向にそのペン先が向いている状態に対応してペンステータス「３」が、それぞれ記憶されるようになっている。また、このペンステータステーブル３４に記憶されるペンステータスは、初期設定（制御開始時）においてペンステータス「０」とされ、以降、前記支点回転検出部４０による検出が行われる毎に更新される。例えば、前記支点回転検出部４０により前記タッチペン１４に係る支点Ｆ回りに所定角度（例えば４５°）以上の回転が行われたと判定される毎に、その回転方向に対応して前記ペンステータステーブル３４に記憶されるペンステータスを更新する。斯かる制御により、各時点における前記タッチペン１４のペン先が指向する方向が判定され、その方向に基づいて前記操作制御部３２による表示制御が実行される。なお、前記タッチペン１４は、好適には図示しない信号送信ボタンを備えており、その信号送信ボタンが押された場合、前記無線送信部４４から前記表示装置１０に対してペン方向リセット信号が送信される。そして、前記表示装置１０において斯かるペン方向リセット信号が受信された場合、その表示装置１０において前記ペンステータステーブル３４に記憶されているペンステータスが初期値である「０」にリセットされる。
【００５０】
図１９は、前記表示装置１０の制御部１６により実行されるメイン制御の要部を説明するフローチャートであり、所定の周期で繰り返し実行されるものである。
【００５１】
先ず、ステップ（以下、ステップを省略する）Ｓ１において、前記タッチパネル２４に対する所定の接触操作等に応じて本実施例の制御に係るアプリケーションが起動される。次に、Ｓ２において、前記ペンステータステーブル３４に初期値であるペンステータス「０」が設定される。次に、Ｓ３において、前記タッチパネル２４に対する所定の接触操作等に応じて本実施例の制御に係るアプリケーションの終了がリクエストされたか否かが判断される。このＳ３の判断が肯定される場合には、Ｓ４において、本実施例の制御に係るアプリケーションが終了させられた後、本ルーチンが終了させられるが、Ｓ３の判断が否定される場合には、Ｓ５において、前記軸回転検出部３８又は支点回転検出部４０により検出された前記タッチペン１４の回転に係る検出情報が前記無線受信部２０により受信されたか否かが判断される。このＳ５の判断が否定される場合には、Ｓ３以下の処理が再び実行されるが、Ｓ５の判断が肯定される場合には、Ｓ６以下の処理が実行される。
【００５２】
Ｓ６においては、前記タッチパネル２４への入力に前記タッチペン１４を用いる入力モードであるか否かが判断される。このＳ６の判断が否定される場合には、Ｓ１０以下の処理が実行されるが、Ｓ６の判断が肯定される場合には、Ｓ７において、前記無線受信部２０により受信された回転情報が前記軸回転検出部３８により検出された前記タッチペン１４の軸心回りの回転に係る情報であるか否かが判断される。このＳ７の判断が否定される場合には、Ｓ３以下の処理が再び実行されるが、Ｓ７の判断が肯定される場合には、Ｓ８において、その時点で前記タッチパネルディスプレイ１２に描画中の線５０が存在するか否かが判断される。このＳ８の判断が否定される場合には、Ｓ３以下の処理が再び実行されるが、Ｓ８の判断が肯定される場合には、Ｓ９において、タッチ座標すなわち前記タッチパネル２４に対する前記タッチペン１４の接触部位の座標が所定の閾値以上の速度乃至変化量で移動していないか否（移動している）かが判断される。このＳ９の判断が否定される場合には、Ｓ３以下の処理が再び実行されるが、Ｓ９の判断が肯定される場合には、図２０に示す入力モード処理ＳＡが実行された後、Ｓ３以下の処理が再び実行される。Ｓ１０においては、前記無線受信部２０により受信された回転情報が前記軸回転検出部３８により検出された前記タッチペン１４の軸心回りの回転に係る情報であるか否かが判断される。このＳ１０の判断が肯定される場合には、図２１に示すスライドモード軸回転処理ＳＢが実行された後、Ｓ３以下の処理が再び実行されるが、Ｓ１０の判断が否定される場合には、図２２に示すスライドモード支点回転処理ＳＣが実行された後、Ｓ３以下の処理が再び実行される。
【００５３】
図２０は、図１９に示すメイン制御における入力モード処理（入力モードサブルーチン）の要部を説明するフローチャートである。
【００５４】
先ず、ＳＡ１において、前記傾き検出部４２により検出された前記タッチパネルディスプレイ１２の平面部１２ｐに対する前記タッチペン１４の傾きが１０°以下であるか否かが判断される。このＳＡ１の判断が否定される場合には、ＳＡ５以下の処理が実行されるが、ＳＡ１の判断が肯定される場合には、ＳＡ２において、前記無線受信部２０により受信された回転情報が前記タッチペン１４の軸心回りの右回転に係る情報であるか否かが判断される。このＳＡ２の判断が肯定される場合には、ＳＡ３において、前記タッチパネル２４における接触操作に応じて入力される線５０の太さ（線幅）を太くする入力条件の変更が行われた後、図１９に示す制御に復帰させられるが、ＳＡ２の判断が否定される場合には、ＳＡ４において、前記タッチパネル２４における接触操作に応じて入力される線５０の太さ（線幅）を細くする入力条件の変更が行われた後、図１９に示す制御に復帰させられる。
【００５５】
ＳＡ５においては、前記傾き検出部４２により検出された前記タッチパネルディスプレイ１２の平面部１２ｐに対する前記タッチペン１４の傾きが４５°以下であるか否かが判断される。このＳＡ５の判断が否定される場合には、ＳＡ９以下の処理が実行されるが、ＳＡ５の判断が肯定される場合には、ＳＡ６において、前記無線受信部２０により受信された回転情報が前記タッチペン１４の軸心回りの右回転に係る情報であるか否かが判断される。このＳＡ６の判断が肯定される場合には、ＳＡ７において、前記タッチパネル２４における接触操作に応じて入力される線５０の種類（線種）を予め定められたリストにおける１つ次の種類に変更する入力条件の変更が行われた後、図１９に示す制御に復帰させられるが、ＳＡ６の判断が否定される場合には、ＳＡ８において、前記タッチパネル２４における接触操作に応じて入力される線５０の種類（線種）を予め定められたリストにおける１つ前の種類に変更する入力条件の変更が行われた後、図１９に示す制御に復帰させられる。
【００５６】
ＳＡ９においては、前記無線受信部２０により受信された回転情報が前記タッチペン１４の軸心回りの右回転に係る情報であるか否かが判断される。このＳＡ９の判断が肯定される場合には、ＳＡ１０において、前記タッチパネル２４における接触操作に応じて入力される線５０の色（線色）を予め定められたリストにおける１つ次の色に変更する入力条件の変更が行われた後、図１９に示す制御に復帰させられるが、ＳＡ９の判断が否定される場合には、ＳＡ１１において、前記タッチパネル２４における接触操作に応じて入力される線５０の色（線色）を予め定められたリストにおける１つ前の色に変更する入力条件の変更が行われた後、図１９に示す制御に復帰させられる。
【００５７】
図２１は、図１９に示すメイン制御におけるスライドモード軸回転処理（スライドモード軸回転サブルーチン）の要部を説明するフローチャートである。
【００５８】
先ず、ＳＢ１において、前記無線受信部２０により受信された回転情報が前記タッチペン１４の軸心回りの右回転に係る情報であるか否かが判断される。このＳＢ１の判断が肯定される場合には、ＳＢ９以下の処理が実行されるが、ＳＢ１の判断が否定される場合には、ＳＢ２において、前記ペンステータステーブル３４に設定されたペンステータスが「０」であるか否かが判断される。このＳＢ２の判断が肯定される場合には、ＳＢ３において、前記ディスプレイ２２の表示領域を画像１枚分左へスライド移動させる表示制御が実行された後、図１９に示す制御に復帰させられるが、ＳＢ２の判断が否定される場合には、ＳＢ４において、前記ペンステータステーブル３４に設定されたペンステータスが「１」であるか否かが判断される。このＳＢ４の判断が肯定される場合には、ＳＢ５において、前記ディスプレイ２２の表示領域を画像１枚分奥（背面側）へ移動させる表示制御が実行された後、図１９に示す制御に復帰させられるが、ＳＢ４の判断が否定される場合には、ＳＢ６以下の処理が実行される。
【００５９】
ＳＢ６においては、前記ペンステータステーブル３４に設定されたペンステータスが「２」であるか否かが判断される。このＳＢ６の判断が肯定される場合には、ＳＢ７において、前記ディスプレイ２２の表示領域を画像１枚分右へスライド移動させる表示制御が実行された後、図１９に示す制御に復帰させられるが、ＳＢ６の判断が否定される場合には、ＳＢ８において、前記ディスプレイ２２の表示領域を画像１枚分手前（前面側）へ移動させる表示制御が実行された後、図１９に示す制御に復帰させられる。ＳＢ９においては、前記ペンステータステーブル３４に設定されたペンステータスが「０」であるか否かが判断される。このＳＢ９の判断が肯定される場合には、ＳＢ１０において、前記ディスプレイ２２の表示領域を画像１枚分右へスライド移動させる表示制御が実行された後、図１９に示す制御に復帰させられるが、ＳＢ９の判断が否定される場合には、ＳＢ１１以下の処理が実行される。
【００６０】
ＳＢ１１においては、前記ペンステータステーブル３４に設定されたペンステータスが「１」であるか否かが判断される。このＳＢ１１の判断が肯定される場合には、ＳＢ１２において、前記ディスプレイ２２の表示領域を画像１枚分手前（前面側）へ移動させる表示制御が実行された後、図１９に示す制御に復帰させられるが、ＳＢ１１の判断が否定される場合には、ＳＢ１３において、前記ペンステータステーブル３４に設定されたペンステータスが「２」であるか否かが判断される。このＳＢ１３の判断が肯定される場合には、ＳＢ１４において、前記ディスプレイ２２の表示領域を画像１枚分左へスライド移動させる表示制御が実行された後、図１９に示す制御に復帰させられるが、ＳＢ１３の判断が否定される場合には、ＳＢ１５において、前記ディスプレイ２２の表示領域を画像１枚分奥（背面側）へ移動させる表示制御が実行された後、図１９に示す制御に復帰させられる。
【００６１】
図２２は、図１９に示すメイン制御におけるスライドモード支点回転処理（スライドモード支点回転サブルーチン）の要部を説明するフローチャートである。
【００６２】
先ず、ＳＣ１において、前記無線受信部２０により受信された回転情報が前記タッチペン１４の支点回りの右回転に係る情報であるか否かが判断される。このＳＣ１の判断が否定される場合には、ＳＣ５以下の処理が実行されるが、ＳＣ１の判断が肯定される場合には、ＳＣ２において、前記ペンステータステーブル３４に設定されたペンステータスが「３」であるか否かが判断される。このＳＣ２の判断が肯定される場合には、ＳＣ３において、前記ペンステータステーブル３４におけるペンステータスが「０」に設定された後、図１９に示す制御に復帰させられるが、ＳＣ２の判断が否定される場合には、ＳＣ４において、前記ペンステータステーブル３４におけるペンステータスがインクリメントすなわち１加算された後、図１９に示す制御に復帰させられる。ＳＣ５においては、前記ペンステータステーブル３４に設定されたペンステータスが「０」であるか否かが判断される。このＳＣ５の判断が肯定される場合には、ＳＣ６において、前記ペンステータステーブル３４におけるペンステータスが「３」に設定された後、図１９に示す制御に復帰させられるが、ＳＣ５の判断が否定される場合には、ＳＣ７において、前記ペンステータステーブル３４におけるペンステータスがデクリメントすなわち１減算された後、図１９に示す制御に復帰させられる。
【００６３】
図２３は、前記タッチペン１４の制御部３６による回転検出／送信制御の要部を説明するフローチャートであり、所定の周期で繰り返し実行されるものである。
【００６４】
先ず、ＳＳ１において、前記軸回転検出部３８又は支点回転検出部４０により前記タッチペン１４の回転が検出されたか否かが判断される。このＳＳ１の判断が否定される場合には、ＳＳ５以下の処理が実行されるが、ＳＳ１の判断が肯定される場合には、ＳＳ２において、前記軸回転検出部３８により前記タッチペン１４の軸心回りの回転が検出されたか否かが判断される。このＳＳ２の判断が肯定される場合には、ＳＳ３において、前記軸回転検出部３８による前記タッチペン１４の軸心回りの回転に係る情報としてその回転方向等が前記無線送信部４４から前記表示装置１０に対して送信された後、ＳＳ１以下の処理が再び実行されるが、ＳＳ２の判断が否定される場合には、ＳＳ４において、前記支点回転検出部４０による前記タッチペン１４の支点回りの回転に係る情報としてその回転方向等が前記無線送信部４４から前記表示装置１０に対して送信された後、ＳＳ１以下の処理が再び実行される。ＳＳ５においては、前記傾き検出部４２により前記平面部１２ｐに対する前記タッチペン１４の傾きの変化が検出されたか否かが判断される。このＳＳ５の判断が否定される場合には、ＳＳ１以下の処理が再び実行されるが、ＳＳ５の判断が肯定される場合には、ＳＳ６において、前記傾き検出部４２により検出された前記平面部１２ｐに対する前記タッチペン１４の傾きの変化が前記無線送信部４４から前記表示装置１０に対して送信された後、ＳＳ１以下の処理が再び実行される。
【００６５】
以上の制御において、Ｓ６が前記入力モード判定部３０の動作に、ＳＡ、ＳＢ、及びＳＣが前記操作制御部３２の動作に、ＳＳ３が前記軸回転検出部３８の動作に、ＳＳ４が前記支点回転検出部４０の動作に、ＳＳ５が前記傾き検出部４２の動作にそれぞれ対応する。
【００６６】
このように、本実施例によれば、前記タッチペン１４に係る軸心Ｃ回りの回転を検出する軸回転検出部３８（ＳＳ３）と、前記平面部１２ｐに対する前記タッチペン１４の傾きを検出する傾き検出部４２（ＳＳ５）と、前記タッチパネル２４への入力に前記タッチペン１４を用いる入力モードであるか否かを判定する入力モード判定部３０（Ｓ６）と、その入力モード判定部３０の判定が肯定される場合に、前記軸回転検出部３８による検出結果及び前記傾き検出部４２による検出結果の少なくとも一方に基づいて、前記ディスプレイ２２における画像の表示制御又は前記タッチパネル２４における接触操作に係る入力条件の変更を実行する操作制御部３２（ＳＡ、ＳＢ、及びＳＣ）とを、備えたものであることから、前記表示装置１０の利用に際して利用者に取り回されるタッチペン１４を介して、前記ディスプレイ２２における画像の表示制御又は前記タッチパネル２４における接触操作に係る入力条件の変更を簡便に実行することができる。すなわち、タッチパネル２４に対する接触操作に用いられるタッチペン１４を介して簡便に各種操作を実行可能とする表示装置１０を提供することができる。
【００６７】
また、前記操作制御部３２は、前記軸回転検出部３８による検出結果に基づいて、前記ディスプレイ２２における画像の表示制御としてその画像の変形又は切替を実行するか、又は前記タッチパネル２４における接触操作に係る入力条件としてその接触操作に応じて入力される線又は文字の形態を変更するものであるため、前記表示装置１０の利用に際して利用者に取り回されるタッチペン１４を介して、前記ディスプレイ２２における画像の表示制御又は前記タッチパネル２４における接触操作に係る入力条件の変更を実用的な態様で簡便に実行することができる。
【００６８】
また、前記操作制御部３２は、前記軸回転検出部３８による検出結果に基づく前記入力条件の変更としての線又は文字の形態を変更を、前記傾き検出部４２による検出結果に基づいて決定するものであるため、前記タッチパネル２４の平面部１２ｐに対するタッチペン１４の傾きに応じて、そのタッチペン１４により描画される線５０の太さ、線種、及び線の色等の変更を選択的に実行することができる。
【００６９】
また、前記操作制御部３２は、前記入力モード判定部３０の判定結果に基づいて、前記ディスプレイ２２における画像の表示制御及び前記タッチパネル２４における接触操作に係る入力条件の変更の何れか一方を選択的に実行するものであるため、前記タッチパネル２４への入力に前記タッチペン１４を用いる入力モードである場合とそれ以外の場合とで、前記タッチペン１４を介しての操作をそれぞれ異なるものとすることができる。
【００７０】
また、前記操作制御部３２は、前記入力モード判定部３０の判定が否定される場合には、前記軸回転検出部３８による検出結果、前記支点回転検出部４０による検出結果、及び前記傾き検出部４２による検出結果の少なくとも１つに基づいて、前記ディスプレイ２２における画像の表示制御を実行するものであるため、前記タッチパネル２４への入力に前記タッチペン１４を用いる入力モードではない場合において、そのタッチペン１４を介して前記ディスプレイ２２における画像の表示制御を簡便に実行することができる。
【００７１】
以上、本発明の好適な実施例を図面に基づいて詳細に説明したが、本発明はこれに限定されるものではなく、更に別の態様においても実施される。
【００７２】
例えば、前述の実施例において、前記軸回転検出部３８、支点回転検出部４０、及び傾き検出部４２は、何れも前記タッチペン１４に備えられたものであったが、本発明はこれに限定されるものではなく、前記軸回転検出部３８、支点回転検出部４０、及び傾き検出部４２の一部又は全部と等価な機能を奏する制御部が前記表示装置１０の側に備えられたものであってもよい。例えば、前記タッチペン１４の内部に複数のマーカを埋め込み、そのマーカを前記表示装置１０の側でスキャンすることによりそのような構成が可能とされる。また、斯かる構成においては、前記無線受信部２０及び無線送信部４４は必ずしも備えられなくともよい。
【００７３】
また、前述の実施例において、前記軸回転検出部３８は、前記タッチペン１４それ自体の軸心回りの回転を検出するものであったが、そのタッチペン１４のグリップ部分が本体軸部に対して同軸に相対回転可能とされた構成において、そのグリップ部分の回転を検出するものであってもよい。また、この態様においては、前記操作制御部３２は、斯かるタッチペン１４のグリップ部分の回転をそのタッチペン１４に係る軸心Ｃ回りの回転として、その回転に基づいて前記制御を実行する。
【００７４】
また、前述の実施例において、前記表示装置は、前記ディスプレイ２２及びタッチパネル２４が一体的に構成されたタッチパネルディスプレイ１２を備えたものであったが、ディスプレイとタッチパネルとが別体に構成された表示装置においても、本発明は一応の効果を奏する。また、タッチペン及びタッチパネルが相補的に入力装置として機能するペンタブレット等を備えた構成にも、本発明は好適に適用されるものである。
【００７５】
また、前述の実施例において、前記タッチペン１４は前記表示装置１０と別体に構成されたものであり、前記無線送信部４４及び無線受信部２０を介して無線通信により前記検出結果の送受信を行うものであったが、前記タッチペン１４と表示装置１０とが有線接続された構成にも本発明は好適に適用される。
【００７６】
その他、一々例示はしないが、本発明はその趣旨を逸脱しない範囲内において種々の変更が加えられて実施されるものである。
【符号の説明】
【００７７】
１０：表示装置
１２ｐ：平面部
１４：タッチペン
２２：ディスプレイ
２４：タッチパネル
３０：入力モード判定部
３２：操作制御部
３８：軸回転検出部
４２：傾き検出部
５０：線
Ｃ：軸心
Ｆ：支点
Ｐｉｃ．Ａ〜Ｐｉｃ．Ｌ：画像
【図１】
2011159091.tif 000003
【図２】
2011159091.tif 000004
【図３】
2011159091.tif 000005
【図４】
2011159091.tif 000006
【図５】
2011159091.tif 000007
【図６】
2011159091.tif 000008
【図７】
2011159091.tif 000009
【図８】
2011159091.tif 000010
【図９】
2011159091.tif 000011
【図１０】
2011159091.tif 000012
【図１１】
2011159091.tif 000013
【図１２】
2011159091.tif 000014
【図１３】
2011159091.tif 000015
【図１４】
2011159091.tif 000016
【図１５】
2011159091.tif 000017
【図１６】
2011159091.tif 000018
【図１７】
2011159091.tif 000019
【図１８】
2011159091.tif 000020
【図１９】
2011159091.tif 000021
【図２０】
2011159091.tif 000022
【図２１】
2011159091.tif 000023
【図２２】
2011159091.tif 000024
【図２３】
2011159091.tif 000025